(57)【要約】【課題】巻上機の据え付け又は交換に費やす時間を大幅に短縮し得るエレベーター装置を提案する。【解決手段】おもりガイドレールを支持するおもり側ピットベース上に固定され、巻上機の水平投影面上から外れた位置に設置される支持柱固定台と、支持柱固定台の上面に設置される支持柱ビームとを備え、頂部ビーム支持柱は、巻上機の水平投影面上のうちの前記支持柱ビーム上に設置されることを特徴とする。【選択図】図１
2015157676.tif 000002
【特許請求の範囲】
【請求項１】
昇降路内を互いに反対方向に昇降する乗りかご及び釣り合いおもりと、
前記乗りかごを案内するかごガイドレールと、
前記釣り合いおもりを案内するおもりガイドレールと、
前記昇降路内に設けられ、綱車を備える巻上機と、
前記巻上機の水平投影面上に設けられる頂部ビーム支持柱と、
前記かごガイドレール及び前記頂部ビーム支持柱の頂部に設けられ、前記かごガイドレール及び前記頂部ビーム支持柱に支持されるかご側頂部ビームと、
前記おもりガイドレール及び前記頂部ビーム支持柱の頂部に設けられ、前記おもりガイドレール及び前記頂部ビーム支持柱に支持されるおもり側頂部ビームと、
前記かご側頂部ビームに取り付けられるかご側頂部綱車と、
前記おもり側頂部ビームに取り付けられるおもり側頂部綱車と、
前記巻上機の綱車、前記かご側頂部綱車及び前記おもり側頂部綱車に巻き掛けられ、前記乗りかご及び前記釣り合いおもりを懸架する主索とを備え、
前記巻上機の綱車を回転して前記主索を駆動することにより、前記乗りかご及び前記釣り合いおもりを昇降するエレベーター装置において、
前記おもりガイドレールを支持するおもり側ピットベース上に固定され、前記巻上機の水平投影面上から外れた位置に設置される支持柱固定台と、
前記支持柱固定台の上面に設置される支持柱ビームとを備え、
前記頂部ビーム支持柱は、
前記巻上機の水平投影面上のうちの前記支持柱ビーム上に設置される
ことを特徴とするエレベーター装置。
【請求項２】
前記支持柱固定台は、
前記巻上機を収納するための開口部を備え、
前記支持柱ビームは、
前記巻上機の綱車に巻き掛けられる前記主索を通すための切り欠き部を備える
ことを特徴とする請求項１に記載のエレベーター装置。
【請求項３】
前記支持柱固定台は、Ｌ字型の形状を有し、Ｌ字型の形状を有する２つの前記支持柱固定台を対向配置することにより前記巻上機を収納するための前記開口部が形成される
ことを特徴とする請求項１又は２に記載のエレベーター装置。
【請求項４】
前記支持柱ビームは、Ｈ字型又はＵ字型の形状を有することにより前記切り欠き部が形成される
ことを特徴とする請求項１〜３の何れか一項に記載のエレベーター装置。
【発明の詳細な説明】
【技術分野】
【０００１】
本発明は、エレベーター装置に関し、特に機械室がないエレベーター装置に適用して好適なものである。
【背景技術】
【０００２】
特許文献１には従来のエレベーター装置の構造が開示されている。具体的には乗りかごと釣り合いおもりとを懸垂する懸垂荷重は、かごガイドレールと、釣り合いおもりガイドレールと、頂部ビーム支持柱の上部に固定された頂部ビームに取り付けた頂部綱車と、主索端部とに作用し、この懸垂荷重をかごガイドレールと、釣り合いおもりガイドレールと、頂部ビーム支持柱とで支持する構造が開示されている。
【０００３】
また釣り合いおもりガイドレールは、ピットベースの上面に固定され、頂部ビーム支持柱は巻上機を組み込んだ巻上機固定台を介してピットベースの上面に固定される構造が開示されていることから、巻上機を組み込んだ巻上機固定台を設置した後、頂部ビーム支持柱を立設することになる。かごガイドレールと、釣り合いおもりガイドレールと、頂部ビーム支持柱とは、レールブラケットを介して建屋側に固定し、レールブラケットは建屋の倒れを調整するため現地で寸法を調整した後に溶接固定することになる。
【先行技術文献】
【特許文献】
【０００４】
【特許文献１】特開２００７−２９７２０９号公報
【発明の概要】
【発明が解決しようとする課題】
【０００５】
しかし特許文献１に開示されているエレベーター装置は、上記説明したように巻上機を組み込んだ巻上機固定台を設置した後、頂部ビーム支持柱を立設することになるため、かごガイドレールと、釣り合いおもりガイドレールと、頂部ビーム支持柱のレールブラケットとを溶接固定する際に飛散するスパッタなどが巻上機に入り込み、巻上機が正常に動作しなくなる場合がある。
【０００６】
また巻上機の部品の寿命や異常により巻上機を取り外す場合は、頂部ビーム支持柱が落下しないような固定装置及び頂部ビーム支持柱の下部を取り外す作業が必要となるため、巻上機の交換に多くの時間を要し、エレベーター装置を休止している時間が長くなる。よって利用者に不便を与える場合がある。
【０００７】
本発明は以上の点を考慮してなされたもので、巻上機の据え付け又は交換に費やす時間を大幅に短縮し得るエレベーター装置を提案するものである。
【課題を解決するための手段】
【０００８】
かかる課題を解決するために、本発明においては、おもりガイドレールを支持するおもり側ピットベース上に固定され、巻上機の水平投影面上から外れた位置に立設される支持柱固定台と、支持柱固定台の上面に設置される支持柱ビームとを備え、頂部ビーム支持柱は、巻上機の水平投影面上のうちの支持柱ビーム上に立設されることを特徴とする。
【発明の効果】
【０００９】
本発明によれば、巻上機の据え付け又は交換に費やす時間を大幅に短縮することができる。
【図面の簡単な説明】
【００１０】
【図１】エレベーター装置の斜視図である。
【図２】エレベーター装置の平面構成図である。
【図３】エレベーター装置の最下階近傍の断面構成図である。
【発明を実施するための形態】
【００１１】
図１は本実施の形態におけるエレベーター装置１００の斜視構成を示し、図２はエレベーター装置１００の平面構成を示し、図３はエレベーター装置１００の最下階近傍の断面構成を示す。以下図１〜図３を参照して、本実施の形態におけるエレベーター装置１００の構成について説明する。
【００１２】
エレベーター装置１００は、昇降路１内に機械室がないエレベーター装置であり、ここでは手前側に乗りかご２が設置されており、奥側に釣り合いおもり３が設置されている。また釣り合いおもり３の左隣りには巻上機４が設置されている。巻上機４の電動機部の回転軸には減速ギアを介することなく綱車が直接取り付けられており、この綱車は乗りかご２側に対向するように設置される。
【００１３】
主索５は、一端がかご側主索固定台６に固定される。なおかご側主索固定台６は、昇降路１の頂部に設置される。主索５は、他方がかご側主索固定台６から下方向に延びてかご下綱車７に巻き掛けられ、その先で上方向に延び、かご側頂部綱車８（８Ａ及び８Ｂ）に巻き掛けられて、乗りかご２を懸架する。なおかご側頂部綱車８Ａ及び８Ｂは、かご側頂部ビーム９に固定される。かご側頂部ビーム９は、昇降路１の頂部に設置される。
【００１４】
また主索５は、他方がかご側頂部綱車８Ａ及び８Ｂに巻き掛けられた先で下方向に延び、最下階床面近傍に設置される巻上機４の綱車に巻き掛けられ、巻上機４の綱車に巻き掛けられた先で上方向に延び、おもり側頂部綱車１０に巻き掛けられる。なおおもり側頂部綱車１０は、おもり側頂部ビーム１２に固定される。おもり側頂部ビーム１２は、昇降路１の頂部に設置される。
【００１５】
また主索５は、他方がおもり側頂部綱車１０に巻き掛けられた先で下方向に延び、釣り合いおもり３の綱車に巻き掛けられ、その先で上方向に延び、他端がおもり側主索固定台１１に固定されて、釣り合いおもりを懸架する。なおおもり側主索固定台１１は、おもり側頂部ビーム１２に取り付けられる。
【００１６】
主索固定台側かごガイドレール１３及び反主索固定台側かごガイドレール１４は、昇降路１の底面に設置されるかご側ピットベース１５上に固定されて昇降方向に延在し、乗りかご２を昇降方向に案内する。また主索固定台側おもりガイドレール１６及び反主索固定台側おもりガイドレール１７は、昇降路１の底面に設置されるおもり側ピットベース１９上に固定されて昇降方向に延在し、釣り合いおもり３を乗りかご２の昇降方向とは反対方向に案内する。
【００１７】
以下、巻上機４の据え付け手順について説明する。まずおもり側ピットベース１９を所定の場所に設置する。次いでおもり側ピットベース１９の上面に予め取り付けられた支持柱追加台ブラケット１９Ａ及び支持柱台兼ガイドレ−ルブラケット１９ＢによりＬ字型の支持柱固定台２３（２３Ａ及び２３Ｂ）を対向配置して立設する。このとき支持柱固定台２３Ａ及び２３Ｂにより開口部が形成されるように対向配置し、また開口部が乗りかご２側に向くように設置する。
【００１８】
次いで支持柱固定台２３Ａ及び２３Ｂの中間部付近を支持柱台ブラケット２５により建屋に溶接又はアンカーボルトで固定する。次いでＨ型鋼又はＵ型鋼を使用した支持柱ビーム２４を支持柱固定台２３Ａ及び２３Ｂの上面に設置する。なお支持柱ビーム２４は、乗りかご２側に対向する切り欠き形状を有する。支持柱固定台２３Ａ、２３Ｂ及び支持柱ビーム２４は、設置後は門型形状を有することになる。
【００１９】
次いで主索固定台側おもりガイドレール１６及び反主索固定台側おもりガイドレール１７をおもり側ピットベース１９の上面に立設し、主索固定台側おもりガイドレール１６をレールブラケット２０により建屋に溶接又はアンカーボルトで固定する。次いで反主索固定台側おもりガイドレール１７を支持柱固定台２３Ｂ及び支持柱ビーム２４にレールクリップ等で固定する。
【００２０】
次いで支持柱ビーム２４の上面に支持柱ブラケット２４Ａを取り付け、その上側に頂部ビーム支持柱１８を立設する。次いで主索固定台側おもりガイドレール１６、反主索固定台側おもりガイドレール１７及び頂部ビーム支持柱１８の中間部近傍に位置する建屋２２のファスナープレート２１にレールブラケット２０を溶接で固定し、レールクリップ等で主索固定台側おもりガイドレール１６、反主索固定台側おもりガイドレール１７及び頂部ビーム支持柱１８を固定する。
【００２１】
次いで主索固定台側おもりガイドレール１６、反主索固定台側おもりガイドレール１７及び頂部ビーム支持柱１８の最上部近傍に位置するかご側頂部ビーム９、おもり側頂部ビーム１２、かご側頂部綱車８Ａ、８Ｂ及びおもり側頂部綱車１０を設置する。
【００２２】
上記説明してきた主索固定台側おもりガイドレール１６、反主索固定台側おもりガイドレール１７及び頂部ビーム支持柱１８と、建屋２２のファスナープレート２１とをレールブラケット２０を介して溶接で固定した後、巻上機４の設置作業を開始する。チェーンブロック等の揚重機により巻上機４を荷揚げし、支持柱固定台２３Ａ及び２３Ｂに形成される開口部に向けて運搬し、巻上機４の上部と支持柱ビーム２４の下部とを接触させつつ両者をボルト等で固定する。
【００２３】
次いで巻上機４の下側に巻上機下部固定材２６を設置し、巻上機４を支持柱固定台２３Ａ及び２３Ｂにボルト等で固定する。固定した後、チューンブロック等の揚重機を取り外して巻上機４の据え付けを完了する。
【００２４】
巻上機４の故障等により巻上機４を取り外す場合は上記説明してきた据え付け作業と逆の順序の作業を行うことにより、他の部分を分解することなく容易に取り外し及び再取り付けを行うことができる。なお支持柱固定台２３Ａ及び２３Ｂと支持柱ビーム２４は、おもり側ピットベース１９と支持柱台ブラケット２５により自立することができる。よって足場無し工法等のような最上部レールの上側から立設する方式であっても問題なく巻上機４を据え付けることができる。
【００２５】
以上のように本実施の形態におけるエレベーター装置１００によれば、頂部ビーム支持柱１８の下側に支持柱ビーム２４及び支持柱固定台２３を設置し、支持柱ビーム２４及び支持柱固定台２３には巻上機４を収納するための門型形状が形成されているので、頂部ビーム支持柱１８を立設した後に巻上機４を据え付けることができる。また後日に巻上機４を交換する場合、頂部ビーム支持柱１８は支持柱ビーム２４により固定されているため、固定装置を用意して固定しておく手間を省くことができる。よって巻上機４の据え付け又は交換に費やす時間を大幅に短縮することができる。
【符号の説明】
【００２６】
１００  エレベーター装置
１      昇降路
２      乗りかご
３      釣り合いおもり
４      巻上機
５      主索
６      かご側主索固定台
７      かご下綱車
８      かご側頂部綱車
９      かご側頂部ビーム
１０    おもり側頂部綱車
１１    おもり側主索固定台
１２    おもり側頂部ビーム
１３    主索固定台側かごガイドレール
１４    反主索固定台側かごガイドレール
１５    かご側ピットベース
１６    主索固定台側おもりガイドレール
１７    反主索固定台側おもりガイドレール
１８    頂部ビーム支持柱
１９    おもり側ピットベース
２０    レールブラケット
２１    ファスナープレート
２２    建屋
２３    支持柱固定台
２４    支持柱ビーム
２５    支持柱台ブラケット
２６    巻上機下部固定材
【図１】
2015157676.tif 000003
【図２】
2015157676.tif 000004
【図３】
2015157676.tif 000005